(57)【要約】無線通信システム（ＦＣＳ）において１つまたは複数の加入者機から成る少なくとも１つのグループ（ＭＣ１）へ少なくとも１つのグループメッセージ（ＧＮ１）の存在を報知する際に、少なくとも１つのネットワークエレメント（ＢＳ１）から各グループの加入者機へ付加的に少なくとも１つのグループページングインディケータ信号（ＧＰＩ１）が送信され表示される。
2004538731.tif 000002
【特許請求の範囲】
【請求項１】
無線通信システム（ＦＣＳ）内で１つまたは複数の加入者機（ＵＥ１１，ＵＥ２１，ＵＥ３１，ＵＥ４２）から成る少なくとも１つのグループ（ＭＣ１）へ少なくとも１つのグループメッセージ（ＧＮ１）の存在を報知する、
グループメッセージの報知方法において、
無線通信システム（ＦＣＳ）の少なくとも１つのネットワークエレメント（ＢＳ１，ＢＳ２）から当該のグループ（ＭＣ１）へ少なくとも１つの無線チャネル（ＰＣＳ）を介してグループメッセージ（ＧＮ１）を送信し、
ここでグループメッセージ（ＧＮ１）の存在を共通かつ付加的なグループページングインディケータ信号（ＧＰＩ１）を用いて当該のグループ（ＭＣ１）の加入者機（ＵＥ１１，ＵＥ２１，ＵＥ３１，ＵＥ４２）へ表示し評価する
ことを特徴とするグループメッセージの報知方法。
【請求項２】
個別の第１の物理チャネル（ＰＩＣＨ）を介して共通のグループページングインディケータ信号を少なくとも１つのネットワークエレメント（ＢＳ１）から当該のグループ（ＭＣ１）の加入者機（ＵＥ１１，ＵＥ２１，ＵＥ３１，ＵＥ４２）へ伝送する、請求項１記載の方法。
【請求項３】
少なくとも１つの個別の第２のチャネル（ＰＣＨ）を介して少なくとも１つの情報信号（ＧＩ）を付加的に伝送し、ここで該情報信号は伝送すべきグループメッセージ（ＧＮ１）のタイプ、グループメッセージ（ＧＮ１）のページング理由、および／またはそれぞれのグループメッセージ（ＧＮ１）をアドレシングする加入者機の専用の受信側グループ（ＭＣ１）についての情報である、請求項１または２記載の方法。
【請求項４】
グループページングインディケータ信号（ＧＰＩ１）に対する個別の第１のチャネル（ＰＩＣＨ）を各グループメッセージ（ＧＮ１）に関する情報を有する個別の第２のチャネル（ＰＣＨ）に一義的に割り当てる、請求項２または３記載の方法。
【請求項５】
個別の第２のチャネル（ＰＣＨ）をさらに別のチャネル、例えばＳ−ＣＣＰＣＨ（Secondary Common Control Physical Channel）の構成要素として伝送する、請求項３または４記載の方法。
【請求項６】
無線通信システム（ＦＣＳ）の少なくとも１つのネットワークエレメント（ＢＳ１）から送信されるシステム情報信号を少なくとも１つのインディケータ信号（ＧＳＩ）とともに送信し、ここでインディケータ信号はどのチャネルで伝送すべきグループメッセージ（ＧＮ１）に関する情報を有する少なくとも１つのトランスポートチャネル（ＰＣＨ）が伝送されるか、すなわち例えばセカンダリコモンコントロールフィジカルチャネルの情報を表す、請求項１から５までのいずれか１項記載の方法。
【請求項７】
グループページングインディケータ信号（ＧＰＩ１）および／またはグループメッセージ（ＧＮ１）を送信するネットワークエレメントとして基地局（ＢＳ１）を使用する、請求項１から６までのいずれか１項記載の方法。
【請求項８】
無線通信システム（ＦＣＳ）をＵＭＴＳ規格（Universal Mobile Telecommunication System）で駆動する、請求項１から７までのいずれか１項記載の方法。
【請求項９】
あらかじめネットワークエレメント（ＢＳ１）が当該のグループ（ＭＣ１）の加入者機に少なくとも１つの情報信号、すなわちどのチャネル（ＰＩＣＨ）でグループページングインディケータ信号（ＧＰＩ１）が送信されるかおよび／またはどのチャネル（ＰＣＨ）で伝送すべきグループメッセージ（ＧＮ１）に関する別の情報（ＧＩ、ページング理由）が送信されるかについての信号を伝達しておく、請求項１から８までのいずれか１項記載の方法。
【請求項１０】
グループページングインディケータ信号（ＧＰＩ１）および／または伝送すべきグループメッセージ（ＧＮ１）に関する別の情報（ＧＩ、ページング理由）を伝送するためにそれぞれ１つずつチャネル（ＰＩＣＨ，Ｓ−ＣＣＰＣＨ／ＰＣＨ）を専用に設ける、請求項１から９までのいずれか１項記載の方法。
【請求項１１】
グループページングインディケータ信号（ＧＰＩ１）および／または伝送すべきグループメッセージ（ＧＮ１）に関する別の情報（ＧＩ、ページング理由）を伝送するために、加入者機（ＵＥ１１）そのものおよび／または少なくとも１つのネットワークエレメント（ＢＳ１）でそれぞれ１つずつの専用のチャネル（ＰＩＣＨ，Ｓ−ＣＣＰＣＨ／ＰＣＨ）を一義的に計算する、請求項１から１０までのいずれか１項記載の方法。
【請求項１２】
加入者機として移動無線機、例えば移動電話機を使用する、請求項１から１１までのいずれか１項記載の方法。
【請求項１３】
請求項１から１２までのいずれか１項記載のグループメッセージの報知方法にしたがって駆動されるように構成されていることを特徴とする無線通信システム（ＦＣＳ）の加入者機（ＵＥ１１）。
【請求項１４】
請求項１から１２までのいずれか１項記載のグループメッセージの報知方法を実行することを特徴とする無線通信システム（ＦＣＳ）。
【発明の詳細な説明】
【技術分野】
【０００１】
本発明の課題は、無線通信システムにおいて１つまたは複数の加入者機から成る少なくとも１つのグループへ少なくとも１つのグループメッセージの存在をできるだけ効率的に報知することのできる方法を提供することである。
【０００２】
この課題は、本発明の方法として、無線通信システムの少なくとも１つのネットワークエレメントから少なくとも１つの無線チャネルを介して当該のグループへ少なくとも１つのグループメッセージが存在している旨を送信し、ここでグループメッセージの存在を少なくとも１つの共通かつ付加的なグループページングインディケータ信号を用いて各グループに対して表示し評価することにより解決される。
【０００３】
これにより効率的に予め定義されたグループの１つまたは複数の加入者機に対して共通に、付加的なグループページングインディケータ信号を用いて、当該のグループに対して少なくとも１つのグループメッセージが無線通信システムの少なくとも１つのネットワークエレメントからの少なくとも１つのチャネルを介した伝送のために待機しているということが報知される。グループページングインディケータ信号に基づいて加入者機が伝送すべきグループメッセージに関する別の情報を有する少なくとも１つの別のチャネルを付加的にモニタリングしているか否かに応じて予めの選択を行う。それぞれの加入者機が待機グループメッセージに関係しない場合には、実際には無線通信システムの少なくとも１つのネットワークエレメントへ少なくとも１つのチャネルを介したシグナリングコネクションを形成する必要はない。これにより無線リソースおよびエネルギを節約した状態で加入者機を駆動することができる。というのは、加入者機がその時点でアドレシングされているグループに属している場合にのみ少なくとも１つの別のチャネルで伝送すべきグループメッセージに関する別の情報をモニタするからである。
【０００４】
本発明はさらに、本発明の方法にしたがって駆動されるように構成された無線通信システムの加入者機に関する。
【０００５】
本発明はさらに本発明の方法を実行する無線通信システムに関する。
【０００６】
本発明の他の実施形態は従属請求項に記載されている。
【０００７】
本発明の実施例を以下に図に則して詳細に説明する。
【０００８】
図１には本発明により１つまたは複数の加入者機から成る少なくとも１つのグループへメッセージの存在が報知される無線通信システムのコンポーネントが示されている。
【０００９】
図２には無線インタフェースでのプロトコルの層モデルが示されている。この無線インタフェースは図１の無線通信システム、特にＵＭＴＳ規格にしたがうシステムにおいて、無線セル内の加入者機と相応の基地局とのあいだを接続するものである。
【００１０】
図３には図１の無線通信システムにおける本発明のメッセージ伝送プロセスに対してグループページングインディケータ信号を伝送する個別の物理チャネルのフレーム構造が示されている。
【００１１】
図４には、図１の無線通信システムにおいて少なくとも１つのネットワークコンポーネント（例えば基地局）から加入者のグループへ伝送すべき少なくとも１つのグループメッセージがネットワーク側に存在することを報知する際の有利なシグナリングフローが示されている。
【００１２】
図５のＡ，Ｂには図１の無線通信システムにおいて無線セルの基地局と少なくとも１つの加入者機とのあいだで伝送されるシステム情報の情報エレメントが示されている。このときシステム情報はＵＭＴＳのいわゆるＳ−ＣＣＰＣＨ上にグループメッセージに関する情報を有するページングチャネルが重畳されるか否かをマーキングする付加的な情報エレメントのぶんだけ拡張される（図５のＡ，Ｂは解りやすくするために２つの別図として表されているが、互いに補完しあうテーブルであるので、以下ではともに図５と称する）。
【００１３】
図６のＡ〜Ｃには図５のシステム情報のさらなるセクションとしての情報エレメント“ＰＩＣＨ−Ｉｎｆｏ”が示されている。ここでは付加的な情報エレメントによりグループページングインディケータ信号の位置がフレーム構造内で送信される。図３のチャネルは存在するグループメッセージに関連する各無線セル内の加入者機ごとに付加的に送信される（図６のＡ〜Ｃは解りやすくするために３つの別図として表されているが、互いに補完しあうテーブルであるので、以下では全て図６と称する）。
【００１４】
図７〜９には、本発明のプロセスの第１のバリエーションによる付加的な情報エレメントが示されている。これは伝送すべき待機グループのタイプ、理由および／または専用グループに関するデータを含んでおり、個別のチャネル（特にページングチャネル）で伝送される（図９のＡ，Ｂは解りやすくするために２つの別図として表されているが、互いに補完しあうテーブルであるので、以下ではともに図９と称する）。
【００１５】
図１０，１１には、ＵＭＴＳのいわゆるページングチャネルに含まれる情報であって、待機グループメッセージを定めているタイプ、理由および／または専用グループに関する別のデータを含む修正情報エレメントが示されている。
【００１６】
図１〜１１中、同じ機能および作用を有する素子には相応する参照番号を付してある。
【００１７】
図１には特にＵＭＴＳ（Universal Mobile Telecommunication System）規格で駆動される無線通信システムＦＣＳの２つの無線セルＣＥ１、ＣＥ２が示されている。第１の無線セルＣＥ１はここでは基地局ＢＳ１によって無線技術的に展開されており、第２の無線セルＣＥ２は基地局ＢＳ２によって展開されている。２つの基地局ＢＳ１，ＢＳ２は図１には示されていない相応の無線セルをカバーする複数の別の基地局を代表している。それぞれの基地局は有利には少なくとも１つの無線送信機および少なくとも１つの無線受信機によって形成されている。基地局は有利には少なくとも１つの送信アンテナを有する。無線通信システムＦＣＳの加入者機への無線コネクションを形成するという機能に加えてまたはこの機能から独立に、各基地局はデータまたはメッセージの伝送に対して既存のメッセージまたはデータ用の固定網を制御する。
【００１８】
無線通信システムＦＣＳはメッセージ信号またはデータ信号を予め定義された少なくとも１つの無線インタフェースを介して少なくとも１つの加入者機、例えば携帯電話などの移動無線機と少なくとも１つの基地局とのあいだで時間多重多元アクセス法にしたがって伝送する。有利には移動無線システムはＵＭＴＳ規格に準拠して構成されている。特にこれはいわゆるＦＤＤモード（周波数分割多重モード）で駆動される。ＦＤＤモードではアップリンク方向つまり移動無線機から基地局への方向での信号伝送とダウンリンク方向つまり基地局から移動無線機への方向での信号伝送とで相応に周波数または周波数領域を別個に割り当てることにより分離された信号伝送が実現される。同じ無線セル内にある複数の加入者は有利にはいわゆるＣＤＭＡ法（符号分割多重アクセス法）にしたがった直交符号を介して分離される。
【００１９】
加入者機として有利には移動無線電話、特に携帯電話が用いられている。そのほかにも加入者機として他のメッセージ伝送機器および／またはデータ伝送機器を用いることもできる。例えばインターネット接続可能な端末機、コンピュータ、ＴＶ、ノートＰＣ、ＦＡＸ機などが挙げられる。これらは空中の通信網に属する無線ユニット、すなわち少なくとも１つの無線インタフェースを介して、無線通信システムのコンポーネントとなる。加入者機はこの場合には特に移動可能または携帯可能であり、つまり無線網内でその位置を変えたり定置されたりする。
【００２０】
図１には２つの基地局ＢＳ１，ＢＳ２が対応するデータ線路Ｌ１，Ｌ２を介して上位の無線網コントロールユニットＲＮＣ１（Radio Network Controller）から制御または監視されることが示されている。この無線網コントロールユニットは基地局ＢＳ１，ＢＳ２が無線セルＣＥ１，ＣＥ２内で無線リソースを割り当てる様子を監視している。この実施例では基地局ＢＳ１の無線セルＣＥ１内に複数の加入者機ＵＥ１１，ＵＥ５１（User Equipment）などが存在している。同様に第２の無線セルＣＥ２においても複数の加入者機ＵＥ１２，ＵＥ４２などが存在している。第１の無線セルＣＥ１の加入者機ＵＥ１１，ＵＥ２１，ＵＥ３１および第２の無線セルＣＥ２の加入者機ＵＥ４２はあらかじめ定義されたグループＭＣ１に属している。このグループに対して１つまたは複数のグループメッセージの受信をできるだけ効率的に準備できるようにしなければならない。
【００２１】
“加入者機のグループ”とは本発明においては有利には技術的サービスにしたがったクラシフィケーションであり、つまり例えば加入者機をマルチキャスト伝送またはブロードキャスト伝送のいずれが可能であるかにしたがって分類することである。さらに無線通信網の無線セル内にある複数の加入者機を他の基準、例えばグループメッセージのタイプ（スポーツ情報、気象予報など）や成立理由などにしたがって分類することもできる。
【００２２】
こんにちの移動無線システムで提供されている多くのサービスおよびアプリケーションではメッセージを１人の加入者だけではなく２人以上の加入者へ伝送できることが望ましい。こうしたサービスおよびアプリケーションの例として、ニュースグループ、ビデオ会議、ビデオオンデマンド、分散アプリケーションなどが挙げられる。
【００２３】
同じメッセージを種々の加入者へ伝送する手段として、それぞれの受信側加入者機へ個別にデータまたはメッセージのコピーを送信することができる。こうした技術は確かに簡単にインプリメンテーションはできるが、加入者機のグループが大きくなるときわめて煩雑になる。同じメッセージがＮ個（Ｎはメッセージに対する受信側加入者機の数）の個別のコネクションすなわちユニキャストコネクションで伝送されるので、共通のコネクション路を介して複数回送信が行われることになり、こうした手段にはきわめて大きな帯域幅が必要となる。
【００２４】
これに対していわゆるマルチキャスト伝送によれば改善された代替手段が得られる。この場合、同じメッセージを伝送されるべき複数の加入者機が１つのグループすなわちマルチキャストグループへまとめられ、このグループに唯一の共通アドレスすなわちマルチキャストアドレスが割り当てられる。伝送すべきデータはこれに応じて一度だけ当該のマルチキャストアドレスへ送信される。各送信側移動無線機から受信側移動無線機への共通のコネクション路を介して伝送すべきマルチキャストメッセージは理想的には一度しか送信されない。このとき送信機は固有のマルチキャストアドレスの後方に隠れた受信側加入者機の正確な位置および数を知る必要はない。どの加入者機がどの固有のマルチキャストグループに属するかは有利にはネットワーク側で定義され、管理される。また加入者機は相応の権限で自律的に所定のマルチキャストグループへ報知を行ったりおよび／または返送を受け取ったりすることができる。
【００２５】
いわゆるブロードキャストではさらに別の代替手段としてメッセージが所定の地域内の全加入者へ送信される。ここでの地域は例えば無線網の一部として定められる。マルチキャストの場合と同様にブロードキャストメッセージは送信側から個々の受信側への共通のコネクション路を介して理想的には一度送信されるのみである。各加入者機は有利にはある種のブロードキャストパケットを受信しようとする相応のブロードキャストグループに登録している。各グループの全てのブロードキャストメッセージを受信ないし拒絶するか、または所定のメッセージのみを受信するかは自律的に定めることができる。
【００２６】
移動無線機の電流消費を低減するために、例えばコネクションが形成されていないとき、コネクションが解消された後、または着呼のないときやデータ伝送が行われていないときなどに“静止状態”へ移行して電流消費を節約するタイプのものがある。ＵＭＴＳではこの状態をいわゆるアイドルモードと称している。この場合移動無線機は所定のチャネルのみをモニタしており、その位置はネットワーク側では相対的に不正確なかたちでしか知られない。つまりこのときネットワーク側ではどの無線セルに当該の移動無線機が存在しているのかはわからない。アイドルモードにあるこうした移動無線機で着呼やデータ伝送が行われる場合、アイドルモードでモニタされていたチャネルを介して所定のプロシージャで報知が行われる。移動無線機はこれに応じて無線網へのシグナリングコネクションを形成し、これを介してその時点で対応する基地局と当該の移動無線機とのあいだの無線インタフェース上にある無線リソースがメッセージの伝送に対してアロケーションされ、コンフィグレーションされる。
【００２７】
図２にはＵＭＴＳの無線インタフェース上のプロトコルの層モデルが基地局ＢＳ１の無線セルＣＥ１にある加入者機ＵＥ１１の例に則して示されている。移動無線局ＵＥ１１は物理層ＰＬ１を有している。この物理層は送信側では無線インタフェースの物理チャネルＰＣＳを介して伝送すべきデータの処理を担当し、受信側では受信されたデータの上位に存在するＭＡＣ層（Medium Access Control）ＭＡＣ１への転送を担当し、そこで受信データがさらに処理されるようにする。ネットワーク側では基地局ＢＳ１内に物理層ＰＬ２が存在しており、これは固定網コネクションを介して無線網コントロールユニットＲＮＣ１に接続されている。物理層とＭＡＣ層とのあいだのコネクションはトランスポートチャネルと称されており、データがどのように伝送されるかを表している。例えば当該の基地局を有する無線セルの各移動無線機の属する一般チャネルでの伝送、または所定の移動無線局のみに専用に与えられているチャネルでの伝送などが表される。ＭＡＣ層は一般チャネルでの伝送の際に伝送すべきデータパケットに定められているユーザのＩＤ確認を行う機能や、論理チャネルＬＣＳをトランスポートチャネルＴＣＳへシミュレートする機能を有している。このためにＭＡＣ層は送信側で各移動無線局のＩＤなどのコントロール情報を上位のＲＬＣ層（Radio Link Control）から得られた伝送すべきデータパケットへ加える。移動無線局ＵＥ１１のＲＬＣ層はＲＬＣ１、基地局ＢＳ１のＲＬＣ層はＲＬＣ２で表されている。論理チャネルとしてここでは各ＭＡＣ層、例えば加入者機ＵＥ１１のＭＡＣ１および無線網コントロールユニットＲＮＣ１のＭＡＣ２と、これに対応する各無線コネクションコントロールユニットＲＬＣ１、ＲＬＣ２とのあいだのコネクションが挙げられる。論理チャネルをトランスポートチャネルへシミュレートする際には、ＭＡＣ層が送信側で各移動無線局のＩＤなどのコントロール情報を上位のＲＬＣ層から得られた伝送すべきデータパケットへ加える。受信側では当該のコントロール情報が評価されたうえで再びデータパケットから取り除かれ、論理チャネルを介してデータパケットがＲＬＣ層へ転送される。
【００２８】
ＲＬＣ層ＲＬＣ１，ＲＬＣ２はそれぞれデータ伝送の監視、すなわちデータパケットの欠落を検出し、場合によっては欠落したパケットを新たに伝送するよう要求する役割を果たしている。ＲＬＣ層では複数のユニットが定義される。各ＲＬＣ層はここでは上位の層と例えばＲＢ（Radio Bearer）とのあいだに少なくとも１つのコネクションを有する。ＲＬＣ層が送信側で上位の層から受け取ったパケットにコントロール情報を加えるように構成することもできる。こうしたコントロール情報は受信側でパケットが欠落していないかどうかを判別するために用いられる。コントロール情報はパケットが上位の層へ転送される前に取り除かれる。ＲＬＣ層の上方にはＲＲＣ層（Radio Ressource Control）が存在している。個々には加入者機ＵＥ１１に対するものをＲＲＣ１とし、これに対応する無線網コントロールユニットＲＮＣ１に対するものをＲＲＣ２とする。各ＲＲＣ層は下方の層のコンフィグレーション、とりわけコネクション形成を担当している。ＲＬＣ層とＲＲＣ層とのあいだのコネクションはＳＲＢ（Signalling Radio Bearer）と称され、加入者機ＵＥ１１に対するものをＳＲＢ１、無線網コントロールユニットＲＮＣ１に対するものをＳＲＢ２とする。
【００２９】
さらに各ＲＬＣ層の上方には本来のデータ伝送に使用されるいわゆるＲＢが存在している。これはＲＬＣ層とその上方のアプリケーションとのあいだのコネクションを表している。パケットデータが伝送される場合にはＲＬＣ層の上方にいわゆるＰＤＣＰ層（Packet Data Convergence Protocol）が存在している。ＰＤＣＰ層はここでは加入者機ＵＥ１１に対するものがＰＤＣＰ１、無線網コントロールユニットＲＮＣ１に対するものがＰＤＣＰ２であり、これは例えばＩＰ（Internet Protocol）パケットの圧縮を担当する。さらに加入者機ＵＥ１１のＲＬＣ層の上方および基地局ＢＳ１の無線網コントロールユニットＲＮＣ１のＲＬＣ層の上方にはいわゆるＢＭＣ１，ＢＭＣ２（Broadcast Multicast Control）が存在しており、これらはＣＢＳ（Cell Broadcast）メッセージの受信に使用される。各ＢＭＣ層内ではＲＬＣ層と同様に複数のＢＭＣユニットが定義されている。
【００３０】
加入者機ＵＥは種々のステータスにありうる。種々のステータスにより加入者機がネットワークへのシグナリングコネクションを形成したか、“アイドルモード”にあるか、アイドルモードでどのチャネルをモニタリングしているか、またはネットワーク内のどこに位置しているかなどが記述される。すなわち
ａ）ＲＲＣのCELL＿DCHstateのステータスでは、当該の移動無線局に専用のリソースが割り当てられており、セルレベルすなわちネットワークにおいてどのセルに当該の移動無線局が位置しているかが既知となっている。
ｂ）ＲＲＣのCELL＿FACHstateのステータスでは、当該の移動無線局に他の局と共有される一般のリソースが割り当てられている。このステータスにおいても同様に移動無線局はセルレベルで既知となっている。
ｃ）ＲＲＣのCELL＿PCHstateのステータスでは、当該の移動無線局はブロードキャストメッセージをネットワークから受信し、報知チャネルＰＩＣＨ（Paging Indicator Channel）およびＰＣＨ（Paging Channel）でネットワークが自身へメッセージの存在を報知するか否かをモニタリングする。移動無線局はこのステータスにおいてもセルレベルで既知となっている。
ｄ）ＲＲＣのURA＿PCHstateのステータスはCELL＿PCHstateと類似しているが、当該の移動無線局が位置している無線セルがネットワークに正確に既知となっておらず、当該の移動無線局を含むのがどのセルグループであるかということしかわからない。
ｅ）アイドルモードでは移動無線局は同様にブロードキャストメッセージをネットワークから受信し、報知チャネルをモニタリングする。ここではURA＿PCHstateおよびCELL＿PCHstateとは異なって無線リソースのＲＮＣは移動無線局そのものの知識も有さないし、この移動無線局が管理下のセルのいずれかに位置しているか否かということもわからない。
【００３１】
アイドルモードおよび接続モード（CELL＿DCHstateおよびCELLFACHstate）にある加入者機は所定のメカニズムで種々のイベントの情報を受け取ることができる。例えば着呼またはデータ伝送の開始が報知される。ページングの報知メカニズム、すなわち送信のために待機しているメッセージの呼び出しは有利には２つのステップで行われる。第１のステップでは無線網は各移動無線局へいわゆるＰＩＣＨ上にあるインディケータによって個別の第１のチャネルと移動無線局に対する第２のチャネルとに分割される。ここで第１のチャネルはページングチャネルＰＣＨ上に待機メッセージを有しており、これを後に送信する。第２のステップでは各移動無線局は本来の報知内容、特にページングタイプ、ページングデータセット、ページング理由などを含むＰＣＨチャネルを少なくとも部分的に読み出す。加入者機はこれらの情報からメッセージが自身専用に送信されたものであるか否かや、メッセージがどのような種類のものであるかを識別する。伝送すべきメッセージが加入者機へ実際にアドレシングされたことが当該の加入者機で確認されると、この加入者機は無線網へのシグナリングコネクションを形成する。このシグナリングコネクションを介してメッセージの伝送に対する無線リソースがアロケーションされ、コンフィグレーションされる。
【００３２】
ページングのメカニズムには有利には２つのタイプが存在する。これらはそれぞれ報知を受ける加入者機がどのようなステータスにあるかによって異なる。すなわち
ａ）ページングタイプ１：このプロシージャはページング情報をアイドルモード、CELL＿PCHstateまたはURA＿PCHstateのステータスにある所定のＵＥに送信するために用いられる。論理チャネルとしていわゆるＰＣＣＨ（Paging Control Channel）が用いられる。ネットワークの上位層がページングをトリガし、例えばシグナリングコネクションの形成が開始される。
ｂ）ページングタイプ２：このプロシージャは専用のページング情報を接続モードのCELL＿DCHstateまたはCELL＿FACHstateのステータスにある所定の加入者機ＵＥへ伝送するために用いられる。
【００３３】
次の実施例では特にページングタイプ１を取り上げる。ここではマルチキャスト加入者機ないし移動無線機のグループはネットワークへの専用のコネクションなしでＰＩ（Paging Indicator）を介してマルチキャストメッセージの到来を報知される。場合によっては同様の手法で接続モードのCELL＿DCHstateまたはCELL＿FACHstateのステータスにある加入者機に新たなマルチキャストメッセージの到来を報知してもよい。ＵＭＴＳの物理チャネルＳ−ＣＣＰＣＨ（Secondary Common Control Physical Channel）はトランスポートチャネルのＰＣＨの情報および／またはＦＡＣＨ（Forward Access Channel）の情報を伝送する。ＰＣＨは加入者機がページング情報を受信しようとするときＳ−ＣＣＰＣＨを介して伝送される。システム情報ＳＩＢ（System Information Block）５，６として例えばＳ−ＣＣＰＣＨの共通のチャネルが定義され、これが無線セルにその時点で存在している全ての移動無線機に対して調製される。システム情報として加入者機に割り当てられる各Ｓ−ＣＣＰＣＨは有利には１つまでのページングチャネルＰＣＨを含むことができる。１つのセルで１つまたは複数のＰＣＨが準備される。各ＰＣＨには有利にはちょうど１つずつＰＩＣＨが定義された手法で割り当てられる。システムの１つ以上のＰＣＨ（およびこれに固定に対応するＰＩＣＨ）で情報が定義されている場合、加入者機はこれに対して次にどのＰＣＨをモニタリングするか、すなわちどのＰＣＨでの受信を準備するかを選択する。このために当該の加入者機はリストアップされたチャネルＳ−ＣＣＰＣＨのうち１つを有利には加入者機に専用のＩＭＳＩ（International Mobile Subscriber Identity）に基づいて選択する。すなわち
“選択されたＳ−ＣＣＰＣＨのインデクス”＝ＩＭＳ ｍｏｄ Ｋ
である。ここでＫはＰＣＨを伝送するシステム情報として設けられたＳ−ＣＣＰＣＨの数に等しい。換言すれば、唯一のＦＡＣＨのみを輸送するチャネルＳ−ＣＣＰＣＨはカウントされない。Ｓ−ＣＣＰＣＨは有利にはシステム内で情報の現れるシーケンス（０〜Ｋ−１）にしたがって誘導される。ＰＣＨを輸送するチャネルＳ−ＣＣＰＣＨは第１のシステム情報として構成される。“選択されたＳ−ＣＣＰＣＨのインデクス”とは加入者機、例えばＵＥ１１によって利用されるのと同じＰＣＨおよび同じＰＩＣＨを有する選択されたＳ−ＣＣＰＣＨを表している。
【００３４】
ＰＩＣＨはＰＩを伝送するために用いられる物理チャネルである。ＰＩＣＨは有利にはつねに定義された手法でＳ−ＣＣＰＣＨに割り当てられ、これがＰＣＨを伝送する。図３にはＵＭＴＳのＦＤＤモード（周波数分割多重モード）に対するＰＩＣＨのフレーム構造ＲＦが示されている。ＰＩＣＨのフレームは有利には１０ｍｓの持続時間と３００ｂｉｔ（ｂ０，ｂ１，．．．，ｂ２９９）の長さを有する。このうち最初の２８８ｂｉｔ（ｂ０，ｂ１，．．．，ｂ２８７）はＰＩの伝送に用いられる。残りの１２ｂｉｔは形式上はＰＩＣＨの一部ではなく、伝送されない。ＰＩＣＨフレームのこの部分は将来のアプリケーションのためにリザーブされる。つまりトランスポートチャネルＰＣＣＨのフレーム構造ＲＦの第１の部分ＢＰはＰＩを付与するために予めリザーブされており、後ろのほうの第２の部分ＴＯは空いている。
【００３５】
各ＰＩＣＨフレームでＮｐ（Ｎｐ＝１８，３６，７２，または１４４）個のＰＩが伝送される。どのインディケータＰｑがどのＵＥに割り当てられているかは、ここでは有利には加入者機および／またはこれに対応する各基地局の送受信ユニットまたは無線網コントロールユニットの上位のプロトコル層によって計算される。インデクスｑはここではそれぞれのＰＩＣＨフレーム内の位置を示しており、有利には
【００３６】
【数１】
2004538731.tif 000003
として計算される。ここでＰＩは上位層によって各ＵＥごとに
ＰＩ＝（ＩＭＳＩ ｄｉｖ ８１９２）ｍｏｄ Ｎｐ［３ＧＰＰ ＴＲ ２５．３０４］
として計算される。
【００３７】
ＳＦＮ（System Frame Number）はここではＰＩＣＨの発生するＰ−ＣＣＰＣＨ（Primary Common Control Physical Channel）のシステムフレーム番号である。ｑがＳＦＮの関数であることにより、ＵＥに対応するＰＩの位置はつねに変化する。ＩＭＳＩが各移動無線機に割り当てられ、これを一義的に識別することができる。
【００３８】
所定のＰＩＣＨフレーム内のＰＩが論理１にセットされると、これに応じてこのＰＩに対応する加入者機ＵＥが相応のＳ−ＣＣＰＣＨのＰＣＨを読み出す。
【００３９】
ＰＩＣＨのＰＩによって加入者機に新たなイベントが報知された後、有利にはこのイベント報知の具体的な理由が知らされる。これによりＰＩＣＨフレーム内のどのＰＩがどのＵＥに対応しているかを計算する際に２つ以上のＵＥが同じＰＩをモニタリングすることになるので特に有利である。ページングが当該の加入者機に対して専用に定められているか否か、およびこのページングの正確な理由を加入者機は種々の情報エレメントを読み出すことによって知る。情報エレメントはＰＣＨで伝送され、予め定められたＳ−ＣＣＰＣＨへシミュレートされる。
【００４０】
ここではまず該当する加入者機がそれぞれ対応するＰＣＨ上の図７に示されている情報エレメント“ページングタイプ１”を読み出す。これによりページングの開始部分がどれだけ存在するかが報知される。さらに図９に示されている情報エレメント“ページングデータセット”が指示される。この情報エレメントにより特にページングによって既知となったイベントが当該の加入者機のみに対するものか他の加入者機にも該当するものかについての情報が得られる。続いて図８に示されている情報エレメント“ページング理由”が指示される。これはページングの正確な理由を記述する情報である。これは例えば着呼またはデータ伝送の開始などである。図７〜９に下線のマーキングなしで示されている情報エレメントはこの場合３ＧＰＰスペシフィケーション［３ＧＰＰ ＴＳ ２５．３１１］に相応に定められているものである。
【００４１】
前述したように加入者機は報知の理由を知らされ、ネットワークへのシグナリングコネクションを形成し、このシグナリングコネクションを介してメッセージまたはデータを伝送する相応のリソースが準備される。
【００４２】
従来技術によれば、メッセージの到来または着呼、データの伝送の開始または同様のトリガについて、移動無線機はこれまで専用に、すなわち移動無線局ごとにいわゆるページングを介して報知を受けていた。
【００４３】
種々のサービスおよびアプリケーションではしばしばメッセージを１つの移動無線加入者だけでなく２つ以上の加入者へ伝送しなければならない。これは一般には例えばマルチキャストで行われる。ＵＭＴＳではこれは特にマルチメディアブロードキャスト／マルチキャストサービスＭＢＭＳである。以下でグループサービスと称するときは、これは複数のサービス（ロトくじ、取引所相場、気象情報など）またはクラスを含むものとする。
【００４４】
従来技術によればこうしたグループサービスの加入者には移動無線機ごとに個々に割り当てられたＰＩを介してメッセージの到来を報知しなければならなかった。つまり１個の移動無線機ごとに１つのＰＩが必要であった。例えば１つの無線セル内に５０個の移動無線機が存在し、これら全てがグループサービスの同じグループに入っている場合、５０個の個別のＰＩを用いて相応のメッセージの到来を報知することになる。
【００４５】
これに対して本発明のコンセプトの重要な点はグループサービスに対してグループページングインディケータＧＰＩを導入し、加入者のグループごとに例えばマルチキャストサービスのメッセージを送信する。
【００４６】
有利にはグループページングインディケータは例えば所定のサービスを受信しようとする１つまたは複数の移動無線機から成るグループにグループメッセージの到来やトリガを報知するために用いられる。このとき例えばマルチキャストサービスを利用するグループに対して１つのメッセージが送信される。
【００４７】
このグループページングインディケータは従来技術とは異なって各加入者機に個別に割り当てられるのではなく、１つまたは複数の加入者機から成るグループごとに割り当てられる。ここでは有利には同じグループサービス、例えば同じマルチキャストサービスを利用する加入者機ＵＥ全てに共通に報知が行われる。このことは当該の加入者機が所定のグループサービスの受信側の少なくとも１つのグループ（例えばマルチキャストサービス）に属していることを意味する。ここではサービスごとに１つのページングインディケータが必要となるだけである。
【００４８】
グループごとのページングには以下のステップが有利である。
ａ）第１のステップでグループサービス（例えばマルチキャストサービス）を登録している各移動無線機ＵＥがＰＣＨを輸送する無線セルのどのＳ−ＣＣＰＣＨをモニタリングしているかを求める。
ｂ）第２のステップでＰＩＣＨフレームにおいてグループサービス（例えばマルチキャストサービス）に属する加入者機ＵＥのグループに対応するグループページングインディケータが求められる。
ｃ）第３のステップで有利には移動無線機がページングの理由を導出できるように情報エレメントが拡張される。これによりどのようなマルチキャストグループに対してメッセージが用意されているかがわかる。この情報エレメントはさらに別の情報を含んでいてもよい。
【００４９】
システム情報から加入者機は無線セル内で準備されるＳ−ＣＣＰＣＨに関する情報、つまりこのチャネルがＰＣＨを輸送しているか否かについての情報を受け取る。各Ｓ−ＣＣＰＣＨには有利には固定に１つずつＰＩＣＨが割り当てられている。加入者機はこれに応じてどのＳ−ＣＣＰＣＨまたはＰＣＨおよびＰＩＣＨをモニタリングするか、およびＰＩＣＨフレームのどのグループページングインディケータがグループサービス（例えばマルチキャストサービス）に対応しているかを求めるかまたは計算する。
【００５０】
ＰＩＣＨで伝送されるグループページングインディケータ、例えばマルチキャストのＰＩが得られた後、移動無線機はこれに応じて対応するＰＣＨをモニタリングする。ＰＣＨで有利にはどのグループ（ここではマルチキャストサービス）に到来したメッセージが関連しているかについての情報が伝送される（図７〜９の情報エレメント“ページングタイプ１”“ページングデータセット”“ページング理由”を参照）。当該の移動無線機が相応のグループに属している場合には、続いて移動無線網へのシグナリングコネクションが形成され、これを介してメッセージを伝送するためのリソースがアロケーションされる。
【００５１】
有利には全ての移動無線機は共通のグループページングインディケータによってグループメッセージ（ここではマルチキャストサービス）の到来を報知される。従来技術によればこの場合にはＮ個（Ｎは無線セル内の加入者の数）のページングインディケータを使用しなければならず、きわめて煩雑で非効率的であった。
【００５２】
本発明の共通の‘グループページングインディケータ’を介した受信機のグループへの報知方法のシーケンスが図４に示されている。
【００５３】
加入者機ＵＥ１１はシステム情報ＳＩを少なくとも１つのコンポーネント、例えば無線網ＵＴ（ＵＭＴＳではこれはＵＴＲＡＮ：Universal Terrestrial Radio Access Network）の基地局から受信し、そこから無線セルのどのＳ−ＣＣＰＣＨが伝送されるか、またそのうちＰＣＨを伝送するものはどれかを読み出す。ＰＣＨを伝送する各Ｓ−ＣＣＰＣＨには固定に１つのＰＩＣＨが割り当てられている。ネットワークは予めステップＳＵＴでどのＳ−ＣＣＰＣＨでグループ情報を伝送すべきかを求める。ＵＥは相応のステップＳＵＥでどのＳ−ＣＣＰＣＨまたはＰＣＨおよび対応するＰＩＣＨをモニタリングすればよいかを求める。これらを求める手段のバリエーションを次に説明する。
【００５４】
グループサービスのグループに対するグループメッセージＧＮ１の伝送が目前に迫っている場合、ネットワークＵＴ（ここではＵＴＲＡＮ）はステップＰＩＣで相応のグループページングインディケータ信号ＧＰＩを予め選択されたＰＩＣＨで送信する。グループサービスの所定のグループに登録している全てのＵＥは次のステップＲＧＰＩでこのグループページングインディケータ信号ＧＰＩを読み出し、グループメッセージＧＮ１が伝送されてくることを知る。ＰＩＣＨフレーム内のどのグループページングインディケータがそれぞれどのグループサービスに割り当てられるかは予めネットワークおよびＵＥで定められる。この手段のバリエーションを次に説明する。
【００５５】
当該の加入者機がこのグループに属しているとき、到来するグループメッセージがこの加入者機に専用に関連するものであるか否かを知るために、次のステップＡＰＩＮでＰＣＨで伝送されたページング情報ＰＩＮ（例えば図７〜９に示されているページングタイプ１、ページングデータセット、ページング理由）が読み出される。所定のフィールドすなわち情報エレメント“ページングデータセット”には特にグループアイデンティティＧＩ（図９を参照）が含まれており、これによってグループサービスのうち所定のグループが識別される。別のバリエーションを次に説明する。
【００５６】
伝送されたページング情報ＰＩＮに基づいて待機しているグループメッセージＧＮ１または到来するグループメッセージＧＮ１が自身の関心にそぐわないことを加入者機が識別した場合、この加入者機は再び従前の状態へと戻る。ＵＥが到来するメッセージを関心のあるものとして識別するとシグナリングコネクションＳＶが形成され、これを介してグループメッセージを伝送するためのリソースがアロケーションされ、コンフィグレーションされる。
【００５７】
どのＳ−ＣＣＰＣＨまたはＰＣＨおよびこれに対応するＰＩＣＨにおいてグループサービスを登録している加入者機がシグナリングデータを受信するかを求める手段には種々のものがある。
ａ）最も有利なバリエーションでは、当該のグループサービスに登録されている全てのＵＥが同じＳ−ＣＣＰＣＨをモニタリングする。ＵＥがどのＳ−ＣＣＰＣＨをモニタリングすべきかという情報はここではシステム情報ＳＩＢ５，６として存在している。このためにシステム情報は付加的な情報エレメントのぶんだけ拡張されている。
【００５８】
図５にはＳＩＢ５，６で伝送される情報エレメント“Ｓ−ＣＣＰＣＨシステム情報”［３ＧＰＰ ＴＳ ２５．３３１  １０．３．６．７２章］の実施例が示されている。従来技術とは異なり、いわゆる“グループサービスインディケータ”が加えられている。このインディケータはグループサービス情報の伝送のためにＰＣＨを輸送するＳ−ＣＣＰＣＨおよびこれに対応するＰＩＣＨが用いられるか否か、また用いられる場合にはどのＳ−ＣＣＰＣＨかということを表す。従来技術と比べて変更されている箇所には下線でマーキングしてある。
ｂ）別の手段として、予め定義された同じＳ−ＣＣＰＣＨをつねに１つの受信側グループに関連する情報の伝送に利用することが挙げられる。例えばシステム情報として定義されたＳ−ＣＣＰＣＨのうち第１のものまたは最後のものをこれとして定めることができる。対応するＰＩＣＨはグループページングインディケータを伝送する。Ｓ−ＣＣＰＣＨは有利にはページングの理由についての情報を有するＰＣＨを伝送される。
ｃ）グループサービスに登録されているＵＥは全て同じＳ−ＣＣＰＣＨをモニタリングし、ＵＥの上位のプロトコル層でどのＳ−ＣＣＰＣＨをモニタリングすべきかが計算される。この計算のために有利にはグループサービスアイデンティティが利用される。これは有利には相応のＵＥに既知であるかまたは既知にされる。
【００５９】
グループサービスごとのアイデンティティではなく、グループごとのアイデンティティ、例えばＩＭＧＩ（International Mobile Group Identifier）などを使用すれば、対応するＳ−ＣＣＰＣＨの計算において有利には、種々のグループアイデンティティが存在しても、同じＳ−ＣＣＰＣＨおよび同じＰＩＣＨの全てのＵＥに対して同じグループサービスが計算されることが保証される。ＵＥがグループページング情報の伝送のために種々のＳ−ＣＣＰＣＨを計算する場合には、有利には当該のＳ−ＣＣＰＣＨで相応の情報が伝送される。対応するＰＩＣＨはＧＰＩ１などのグループページングインディケータを伝送する。Ｓ−ＣＣＰＣＨはページング理由についての情報を伝送するＰＣＨを伝送する。
ｄ）ＰＣＨを伝送する無線セル内の全てのＳ−ＣＣＰＣＨでグループサービス情報が伝送される。すなわち対応する全てのＰＣＨでグループページングインディケータが伝送される。したがって有利には全てのＰＣＨでページング理由についての情報が伝送されるが、この手段では相対的に冗長性が高くなる。
【００６０】
ＰＩＣＨフレーム内部でグループページングインディケータを選択する手段により、有利には要求されたグループの加入者機へグループサービスに関するイベントまたは他のグループメッセージ（例えばメッセージの到来）をシグナリングすることができる。
【００６１】
グループサービスの全てのグループに対して１つのグループページングインディケータが利用される場合、ＵＥはメッセージの到来の際に当該のメッセージの存在を報知される。付加的にここでは２つの２次的手段が得られる。
ａ）グループサービスのグループごとに１つのグループページングインディケータを利用する場合、このグループサービスに登録されているＵＥは当該のグループページングインディケータでメッセージが自身にとって関心あるものか否かを識別することができる。この手法の欠点は多くのマルチキャストグループが存在する場合に多くのグループページングインディケータが必要となることである。
ｂ）グループサービスの下位集合である所定のＭＣグループごとに１つのグループページングインディケータを利用する場合、このグループサービスに登録されているＵＥは当該のグループページングインディケータで到来するメッセージが専用のものであるか否か、つまり自身にとって関心あるものか否かを予め選択することができる。メッセージがどのグループに対するものであるかは加入者機はページング理由から識別する。
【００６２】
ＰＩがＰＩＣＨフレーム内でどのグループサービスに対して利用されるかを計算する際に、同じＰＩＣＨをモニタリングしている他のＵＥができるだけ同じグループページングインディケータに割り当てられないようにすると有利である。このことは他のグループサービスに属するＵＥにもグループサービスに全く登録されていないＵＥにも当てはまる。このことは方法の効率を増大させる利点を有する。
【００６３】
このことは例えば種々のＭＣサービスのページング情報およびグループが種々のＰＩＣＨおよびＰＣＨで送信されることにより達成される。またグループページングインディケータを伝送するＰＩＣＨとグループページングインディケータを伝送しないＰＩＣＨとで異なるＤＲＸサイクルを使用してもよい。ＵＥはＰＩＣＨをフレーム内で受信せず、規則的な間隔、いわゆるＤＲＸサイクルで（例えばエネルギ節約のために）受信される。グループページングインディケータを有するＰＩＣＨとグループページングインディケータを有さないＰＩＣＨとで異なるＤＲＸサイクルを使用することにより、ページングインディケータの２重貼付は阻止される。
【００６４】
２つ以上のＵＥが同じＰＩに対応している場合には、これらのＵＥがページング理由や当該のイベントが実際には誰にとって重要であるのかということを相応の情報エレメントから読み出すようにすると有利である。
【００６５】
ＰＩＣＨフレーム内でどのグループページングインディケータがどのグループサービスに割り当てられているかは、有利には上位の層で計算される。グループページングインディケータＧＰＩ１の位置‘ｑ’を計算するために、グループアイデンティティ、例えばＩＭＧＩを利用することができる。ここでＧＰＩ１の計算式は例えば次のようになる。
ＧＰＩ１＝（ＩＭＧＩ ｄｉｖ ８１９２）ｍｏｄ Ｎｐ
別の手段として、予め定義された同じＳ−ＣＣＰＣＨをグループサービスのために利用することが挙げられる。これは例えばＰＩＣＨフレームの第１のグループページングインディケータまたは最後のグループページングインディケータとなる。ＰＩＣＨフレーム内のどのグループページングインディケータがグループサービスのためにリザーブされるかは例えば相応の情報エレメントを拡張することにより既知となる。
【００６６】
図６からは情報エレメント“ＰＩＣＨＩｎｆｏ”［３ＧＰＰ ＴＳ２５．３３１  １０．３．３．２２章］が付加的な情報“Group PI”により拡張されていることがわかる。この情報エレメントはＰＩＣＨフレームにおける、グループサービスに対応するグループページングインディケータの位置を表している。この手段は例えばＦＤＤモード（周波数分割デュプレクスモード）の実施例に適用される。従来技術に比べて変更された箇所には下線でマークしてある。
【００６７】
またＰＩＣＨフレームで使用されていないビットＴＯ（図３を参照）をグループサービスのために使用することもできる。
【００６８】
ページングを担当する情報エレメントを拡張することにより、有利にはページング理由も当該のページングに関するグループサービスのグループもともに示される。これを以下にマルチキャストサービスの実施例に則して説明する。
【００６９】
図９では情報エレメント“ページングデータセット（Paging record）”［３ＧＰＰ ＴＳ ２５．３３１  １０．３．３．２２章］に付加的なエレメント“マルチキャストグループアイデンティティ”が拡張されており、これによりマルチキャストサービスのマルチキャストグループのアイデンティティが識別される。さらに“ページングデータセット”は情報エレメント“ページング理由”［３ＧＰＰ ＴＳ ２５．３３１  １０．３．３．２２章］を指示する。これは有利にはマルチキャスト伝送の開始を表す付加的なエレメントＴＭＳ（Terminating Multicast Session）を含むように拡張されている（図９を参照）。従来技術に比べて変更された箇所または付加された情報信号には下線でマークしてある。
【００７０】
また、ＵＥが本発明の前述の手段にしたがって付加的なエレメントＴＭＳを含む情報エレメント“ページング理由”を読み出す際に、図１０に示されているＰＴＭＳにより別の新たな情報エレメントＴＭＳを指示することができる。この情報エレメントでは到来するメッセージに対するマルチキャストグループがマルチキャストグループインディケータＧＩによって表されている。従来技術に比べて変更された個所にはマークしてある。最初に説明した手段とは異なり、ここでは情報エレメント“ページングデータセット”を変更する必要はない。
【００７１】
場合によっては無線通信システムにおいて、少なくとも１つのネットワークエレメントから送信されるシステム情報信号（図５を参照）とともにＧＳＩなどの少なくとも１つのインディケータ信号を付加的に送信することもできる。この信号はどのチャネルで、特にどのＳ−ＣＣＰＣＨで伝送すべきグループメッセージについての情報を有する少なくとも１つのトランスポートチャネルが伝送されるかを表すものである。
【００７２】
以下に本明細書中に出てくる略号をまとめて記載しておく（基本的に本明細書ではこれらの略号について例えば１つのＲＢ、２つのＲＢのように複数表示も行われている）。
【００７３】
ＢＭＣ  Broadcast Multicast Control
ＤＣＨ  Dedicated Channel
ＤＲＸ  Discontinuous Reception
ＦＡＣＨ  Forward Access Channel
ＦＤＤ  Frequency Devision Duplex
ＩＭＳＩ  International Mobile Subscriber Identifier
ＩＰ  Internet Protocol
ＭＡＣ  Medium Access Control
ＭＣ  Multicast
ＭＳ  Mobile Station
Ｐ−ＣＣＰＣＨ  Primary Common Control Physical Channel
ＰＣＨ  Paging Channel
ＰＤＣＰ  Packet Data Convergence Protocol
ＰＩ  Paging Indicator
ＰＩＣＨ  Paging Indicator Channel
ＲＢ  Radio Bearer
ＲＬＣ  Radio Link Control
ＲＲＣ  Radio Resource Control
Ｓ−ＣＣＰＣＨ  Secondary Common Control Physical Channel
ＳＦＮ  System Frame Number
ＳＲＢ  Signaling Radio Bearer
ＵＥ  User Equipment
ＵＭＴＳ  Universal Mobile Telecommunication System
ＵＲＡ  UMTS Routing Area
【図面の簡単な説明】
【００７４】
【図１】無線通信システムのコンポーネントを示す図である。
【００７５】
【図２】無線インタフェースでのプロトコルの層モデルを示す図である。
【００７６】
【図３】物理チャネルのフレーム構造を示す図である。
【００７７】
【図４】本発明の方法の有利なシグナリングフローを示す図である。
【００７８】
【図５Ａ】Ｓ−ＣＣＰＣＨシステム情報を示す図である。
【００７９】
【図５Ｂ】Ｓ−ＣＣＰＣＨシステム情報を示す図である。
【００８０】
【図６Ａ】ＰＩＣＨＩｎｆｏシステム情報を示す図である。
【００８１】
【図６Ｂ】ＰＩＣＨＩｎｆｏシステム情報を示す図である。
【００８２】
【図６Ｃ】ＰＩＣＨＩｎｆｏシステム情報を示す図である。
【００８３】
【図７】ページングタイプを示す図である。
【００８４】
【図８】ページング理由を示す図である。
【００８５】
【図９Ａ】ページングデータセットを示す図である。
【００８６】
【図９Ｂ】ページングデータセットを示す図である。
【００８７】
【図１０】ページング理由（ＰＣＨ）を示す図である。
【００８８】
【図１１】マルチキャストセッション終了を示す図である。
【図５Ａ】
2004538731.tif 000004
【図５Ｂ】
2004538731.tif 000005
【図６Ａ】
2004538731.tif 000006
【図６Ｂ】
2004538731.tif 000007
【図６Ｃ】
2004538731.tif 000008
【図７】
2004538731.tif 000009
【図８】
2004538731.tif 000010
【図９Ａ】
2004538731.tif 000011
【図９Ｂ】
2004538731.tif 000012
【図１０】
2004538731.tif 000013
【図１１】
2004538731.tif 000014
【国際公開パンフレット】
2004538731.tif 000015
2004538731.tif 000016
2004538731.tif 000017
2004538731.tif 000018
2004538731.tif 000019
2004538731.tif 000020
2004538731.tif 000021
2004538731.tif 000022
2004538731.tif 000023
2004538731.tif 000024
2004538731.tif 000025
2004538731.tif 000026
2004538731.tif 000027
2004538731.tif 000028
2004538731.tif 000029
2004538731.tif 000030
2004538731.tif 000031
2004538731.tif 000032
2004538731.tif 000033
2004538731.tif 000034
2004538731.tif 000035
2004538731.tif 000036
2004538731.tif 000037
2004538731.tif 000038
2004538731.tif 000039
2004538731.tif 000040
2004538731.tif 000041
2004538731.tif 000042
2004538731.tif 000043
2004538731.tif 000044
2004538731.tif 000045
2004538731.tif 000046
2004538731.tif 000047
2004538731.tif 000048
2004538731.tif 000049
2004538731.tif 000050
2004538731.tif 000051
2004538731.tif 000052
2004538731.tif 000053
2004538731.tif 000054
2004538731.tif 000055
2004538731.tif 000056
2004538731.tif 000057
2004538731.tif 000058
2004538731.tif 000059
2004538731.tif 000060
【国際調査報告】
2004538731.tif 000061
2004538731.tif 000062
2004538731.tif 000063
2004538731.tif 000064
2004538731.tif 000065
2004538731.tif 000066